(57)【要約】【課題】  ライブビュー機能を備えたレンズ交換式デジタルカメラにおいて、交換レンズをカメラ本体から取り外した状態では、ライブビュー動作を禁止することにより、撮像素子の受光面にゴミが付着することを抑制することが可能なレンズ交換式デジタルカメラを提供すること。【解決手段】  交換レンズが着脱可能なカメラ本体と、交換レンズが、カメラ本体に装着されているか否かを検出する検知手段と、被写体光学像を光電変換して画像信号を生成する撮像手段と、撮像手段で生成された画像信号に基づき、画像を表示する表示手段と、表示手段に撮像手段で生成された画像信号に基づく撮影候補の画像表示を行わせるライブビューの作動を制御するライブビュー制御手段と、を有し、ライブビュー制御手段は、検知手段の検知結果に基づいて、ライブビューの作動を制御する様にした。【選択図】        図１
2006313250.tif 000002
【特許請求の範囲】
【請求項１】
交換レンズが着脱可能な、カメラ本体と、
前記交換レンズが、前記カメラ本体に装着されているか否かを検出する検知手段と、
被写体光学像を光電変換して画像信号を生成する撮像手段と、
前記撮像手段で生成された画像信号に基づき、画像を表示する表示手段と、
前記表示手段に前記撮像手段で生成された画像信号に基づく撮影候補の画像表示を行わせるライブビューの作動を制御するライブビュー制御手段と、を有し、
前記ライブビュー制御手段は、
前記検知手段の検知結果に基づいて、ライブビューの作動を制御することを特徴とするレンズ交換式デジタルカメラ。
【請求項２】
前記ライブビュー制御手段は、
前記検知手段が、前記交換レンズの前記カメラ本体への非装着を検知した場合に、
ライブビューの実行を禁止することを特徴とする請求項１に記載のレンズ交換式デジタルカメラ。
【請求項３】
前記撮像手段への入射光路を開放又は遮断するシャッタと、
前記撮像手段への入射光路から退避可能に設けられた、該入射光路の方向を転換するクイックリターンミラーと、を有し、
前記ライブビュー制御手段は、ライブビュー実行時には、前記シャッタを開放させるとともに、前記クイックリターンミラーを入射光路から退避させることを特徴とする請求項１に記載のレンズ交換式デジタルカメラ。
【請求項４】
前記撮像手段への入射光路を開放又は遮断するシャッタと、
前記撮像手段への入射光路から退避可能に設けられた、該入射光路の方向を転換するクイックリターンミラーと、
クリーニングモード設定手段とを有し、
前記ライブビュー制御手段は、前記クリーニングモード設定手段でクリーニングモードが設定され、かつ前記検知手段で前記交換レンズの前記カメラ本体への非装着を検知した場合に、前記シャッタを強制的に開放させるとともに、前記クイックリターンミラーを入射光路から強制的に退避させることを特徴とする請求項１または２記載のレンズ交換式デジタルカメラ。
【請求項５】
警告音を発生するブザーを有し、
前記ブザーは、前記クリーニングモード設定手段でクリーニングモードが設定された際には、警告音を所定時間発生することを特徴とする請求項４に記載のレンズ交換式デジタルカメラ。
【発明の詳細な説明】
【技術分野】
【０００１】
本発明は、レンズ交換式デジタルカメラに関し、詳しくはライブビュー機能を備えたレンズ交換式デジタルカメラに関する。
【背景技術】
【０００２】
近年、デジタルカメラ等の撮像装置では、ＣＣＤ（Ｃｈａｒｇｅ  Ｃｏｕｐｌｅｄ  Ｄｅｖｉｃｅ）に代表される撮像素子の高性能化が進展するに伴い、より高度な撮影動作を行うことができ、高い画質の撮影画像を得ることができるレンズ交換式デジタルカメラが一般的に実用化されている。
この様なデジタルカメラでは従来バルブ機構を備えており、通常、交換レンズをカメラ本体から取り外した状態であってもバルブ機構を用いることは可能である。すなわちシャッタを長時間開放状態に定めることができる。
【０００３】
しかしながら、交換レンズをカメラ本体から取り外した状態で、シャッタを不用意に長時間開放にしておくと、撮像素子の受光面側にゴミが付着する恐れがある。撮像素子の受光面側にゴミが付着した状態で撮影が行われると、得られた被写体像にゴミの陰影が混入してしまう。
今日、この様なゴミが入力画像の写り込みに悪影響を与えることが問題となっている。従って、当該ゴミの付着を抑制することができる様にしたデジタルカメラが種々検討されてきた。
具体的には、レンズ交換式デジタルカメラにおいて、交換レンズをカメラ本体から取り外した状態では、バルブや、所定時間より長いシャッタスピードでの開動作を禁止することにより、シャッタを長時間開放し続けることを防止し、撮像素子にゴミが付着する恐れを回避するデジタルカメラの技術が開示されている（例えば、特許文献１参照）。
【特許文献１】特開２００３−１５３０５０号公報（段落０００５等参照）
【発明の開示】
【発明が解決しようとする課題】
【０００４】
ところで、レンズ交換式デジタルカメラでは、多機能、高画質化が進展するに伴い、光学ファインダーと同じ様に、撮影待機画像の視認や、微妙なフォーカス調整といった操作を表示装置で行いたいというニーズ対し、撮影待機画像を、ＬＣＤモニタ等に表示するライブビュー機能を備えたデジタルカメラが種々検討されている。
【０００５】
この様なデジタルカメラにおいては、交換レンズをカメラ本体から取り外した状態で、誤ってライブビューモードに設定すると、シャッタが長時間開放し、撮像素子の受光面側にゴミが付着する恐れが増大する。そしてライブビュー機能を備えたレンズ交換式デジタルカメラにおいては、その問題は深刻であり、ゴミの付着を抑制することが可能なデジタルカメラが望まれていた。
前述の特許文献１においては、レンズ交換式デジタルカメラにおいて、交換レンズをカメラ本体から取り外した状態では、バルブや、低速シャッタスピード等のシャッタを長時間開放し続ける撮影動作を制限することにより、撮像素子にゴミの付着を抑制する様にしている。しかしながら前述のライブビュー動作時の対策を示唆するものではなかった。
本発明は、上記課題を鑑みてなされたもので、ライブビュー機能を備えたレンズ交換式デジタルカメラにおいて、装置の複雑化や高価格化を招くことなく、交換レンズをカメラ本体から取り外した状態では、ライブビュー動作を禁止することにより、シャッタ、または、クイックリターンミラーを長時間開放し続けることを防止し、撮像素子の受光面にゴミが付着することを抑制することが可能なレンズ交換式デジタルカメラを提供することを目的とする。
【課題を解決するための手段】
【０００６】
上記目的は、下記の請求項１乃至５のいずれか１項に記載の発明によって達成される。
（請求項１）
交換レンズが着脱可能な、カメラ本体と、
前記交換レンズが、前記カメラ本体に装着されているか否かを検出する検知手段と、
被写体光学像を光電変換して画像信号を生成する撮像手段と、
前記撮像手段で生成された画像信号に基づき、画像を表示する表示手段と、
前記表示手段に前記撮像手段で生成された画像信号に基づく撮影候補の画像表示を行わせるライブビューの作動を制御するライブビュー制御手段と、を有し、
前記ライブビュー制御手段は、
前記検知手段の検知結果に基づいて、ライブビューの作動を制御することを特徴とするレンズ交換式デジタルカメラ。
（請求項２）
前記ライブビュー制御手段は、
前記検知手段が、前記交換レンズの前記カメラ本体への非装着を検知した場合に、
ライブビューの実行を禁止することを特徴とする請求項１に記載のレンズ交換式デジタルカメラ。
（請求項３）
前記撮像手段への入射光路を開放又は遮断するシャッタと、
前記撮像手段への入射光路から退避可能に設けられた、該入射光路の方向を転換するクイックリターンミラーと、を有し、
前記ライブビュー制御手段は、ライブビュー実行時には、前記シャッタを開放させるとともに、前記クイックリターンミラーを入射光路から退避させることを特徴とする請求項１に記載のレンズ交換式デジタルカメラ。
【０００７】
（請求項４）
前記撮像手段への入射光路を開放又は遮断するシャッタと、
前記撮像手段への入射光路から退避可能に設けられた、該入射光路の方向を転換するクイックリターンミラーと、
クリーニングモード設定手段とを有し、
前記ライブビュー制御手段は、前記クリーニングモード設定手段でクリーニングモードが設定され、かつ前記検知手段で前記交換レンズの前記カメラ本体への非装着を検知した場合に、前記シャッタを強制的に開放させるとともに、前記クイックリターンミラーを入射光路から強制的に退避させることを特徴とする請求項１または２記載のレンズ交換式デジタルカメラ。
【０００８】
（請求項５）
警告音を発生するブザーを有し、
前記ブザーは、前記クリーニングモード設定手段でクリーニングモードが設定された際には、警告音を所定時間発生することを特徴とする請求項４に記載のレンズ交換式デジタルカメラ。
【発明の効果】
【０００９】
請求項１に記載の本発明によれば、ライブビュー制御手段は、交換レンズがカメラ本体に装着されているか否かにより、ライブビューの作動を制御する様にしている。したがってライブビュー制御手段は、交換レンズがカメラ本体に装着されているか否かにより、ライブビュー動作の実行を許可、または禁止することができる様になる。
請求項２に記載の本発明によれば、ライブビュー制御手段は、交換レンズがカメラ本体に装着されていない場合には、ライブビューの実行を禁止する様にしている。したがって撮像素子の受光面側にゴミが付着することを確実に防止することができる様になる。
請求項３に記載の本発明によれば、ライブビュー実行時には、表示手段にて撮影候補の画像を視認することができる様になる。
請求項４に記載の本発明によれば、クリーニングモードを設定することにより、シャッタを強制的に開放させるとともに、クイックリターンミラーを入射光路から強制的に退避させることができる様にしている。したがってカメラ本体内部を掃除することができる様になる。
請求項５に記載の本発明によれば、クリーニングモードが設定された際には、警告音を発生する様にしている。したがって誤ってクリーニングモードを設定した場合においても、操作者は警告音により感知することができるので、意図しないクリーニング動作の実行によるゴミの進入を回避することができる様になる。
【発明を実施するための最良の形態】
【００１０】
以下図面に基づいて、本発明の実施形態に係わるレンズ交換式デジタルカメラについて説明する。
【００１１】
最初に、図１を用いて、レンズ交換式デジタルカメラ１（以下、デジタルカメラ１と略称する。）の外観を説明する。図１（ａ）は、本発明に係るデジタルカメラ１の正面図、図１（ｂ）は、背面図である。図１（ａ）に示す様に、デジタルカメラ１は、カメラ本体２、及び交換レンズ３から構成され、交換レンズ３は、カメラ本体２に着脱自在に取り付けられる。
交換レンズ３は、図示しないズーム光学系からなる撮影レンズ、絞り等から構成される。
【００１２】
デジタルカメラ１は、レンズ交換が可能な一眼レフ型のデジタルカメラであり、ＬＣＤ（Ｌｉｑｕｉｄ  Ｃｒｙｓｔａｌ  Ｄｉｓｐｌａｙ；液晶表示素子）からなるＬＣＤモニタ２１７、光学ファインダー２１６、及びデジタルカメラ１を図示しないパーソナルコンピュータに接続する外部接続端子を有しており、後述するＣＣＤカラーエリアセンサ２４１（以下、ＣＣＤ２４１と略称する。）で取り込まれた画像信号に所定の信号処理を施し、撮影待機画像のＬＣＤモニタ２１７へのライブビュー表示や後述するメモリカード２８３等の記録媒体への画像記録、記録画像のＬＣＤモニタ２１７への再生表示、あるいはパーソナルコンピュータへの画像の転送といった処理を行う。
図１（ａ）に示す様に、カメラ本体２の上面には、シャッタボタン２０１、露出モードダイアル２０２、露出補正ダイアル２０３、ホワイトバランス設定ダイアル２０４、及び必要時にホップアップされる内臓フラッシュ２０５が設けられている。
カメラ本体２の正面には、フォーカスモード設定ダイアル２０６、セルフタイマーランプ２０８、及びグリップ２０９にはグリップセンサ２１０が設けられている。
また、カメラ本体２の正面中央部には、交換レンズ３を装着する為の図示しない後述のレンズマウント２３１が設けられている。レンズマウント２３１の近傍には、カメラ本体２に装着された、交換レンズ３を取り外す為のレンズ取り外しボタン２０７が設けられている。また、レンズマウント２３１の内部には、交換レンズ３と交信を行う為の図示しない後述の交信端子ＢＴ１、ＢＴ２、ＢＴ３、及び、交換レンズ３の装着検知を行い本発明における検知手段に該当する後述のレンズ装着検知スイッチＬＳＷが設けられている。
また、図１（ｂ）に示す様に、カメラ本体２の背面上部には、デジタルカメラ１の電源ＯＮ／ＯＦＦを行うメインスイッチ２１１、測光モードダイアル２１２、ＡＥロックボタン２１３、ＡＦ／ＭＦコントロールボタン２１４、後ダイアル２１５、被写体光学像の視認を行う光学ファインダー２１６、及びライブビューモードの設定を行うライブビューボタン２２６が設けられている。
また、カメラ本体２の背面中央部には、撮影待機画像のライブビュー表示や記録画像の再生表示、及び各種情報表示等を行うＬＣＤモニタ２１７が設けられている。すなわち、ＬＣＤモニタ２１７は、本発明に係るレンズ交換式デジタルカメラにおける表示手段として機能するものである。
【００１３】
また、ＬＣＤモニタ２１７の近傍には、手ぶれ補正ボタン２１８、各種設定の選択を行うジョグダイアル（十字キー）２１９、及びジョグダイアル（十字キー）２１９で選択された設定を決定する決定ボタン２２０が設けられている。
ジョグダイアル（十字キー）２１９、及び決定ボタン２２０は、例えば後述のカメラ本体２の内部を掃除する際に用いるクリーニングモードを設定するものである。
具体的には、例えばＬＣＤモニタ２１７で表示されるメニュー画面上で、ジョグダイアル（十字キー）２１９を操作して、クリーニングモードを選択する。そして決定ボタン２２０を操作することによりクリーニングモードが確定される。すなわち、ジョグダイアル（十字キー）２１９、及び決定ボタン２２０は、本発明に係るレンズ交換式デジタルカメラにおけるクリーニングモード設定手段として機能するものである。
また、カメラ本体２の背面下部には、メニューボタン２２１、表示切り換えボタン２２２、拡大ボタン２２３、消去ボタン２２４、及び再生モードの設定を行う再生ボタン２２５が設けられている。
この様な構成のデジタルカメラ１において、カメラ本体２の内部には、ＣＣＤ２４１への入射光路の方向を転換するクイックリターンミラー２３２、及びＣＣＤ２４１への入射光路を開放、または遮断するシャッタ２３３を備えている。
ここで、クイックリターンミラー２３２、及びシャッタ２３３の動作を図２を用いて説明する。図２（ａ）は、撮影が行われていない時の、クイックリターンミラー２３２、及びシャッタ２３３の状態を示す断面模式図である。図２（ｂ）は、ライブビュー時、撮影時、及びクリーニング時における、クイックリターンミラー２３２、及びシャッタ２３３の状態を示す断面模式図である。
図２（ａ）に示す様に、レンズ光軸Ｌ上には、クイックリターンミラー２３２が設けられている。クイックリターンミラー２３２は、図示された傾斜状態と、図２（ｂ）に示す様に、上方へ回動した水平状態との間において回動自在である。クイックリターンミラー２３２の上方には図示しないピント板が設けられ、ピント板の上方にはペンタプリズム２３４が設けられている。ペンタプリズム２３４の後方には光学ファインダー２１６が設けられている。
【００１４】
また、クイックリターンミラー２３２の後方には、シャッタ２３３が設けられ、シャッタ２３３の後方には、図示しない赤外カットフィルタと光学ローパスフィルタが設けられている。光学ローパスフィルタの後方にはＣＣＤ２４１が設けられている。すなわち、クイックリターンミラー２３２、シャッタ２３３、赤外カットフィルタ、光学ローパスフィルタ、ＣＣＤ２４１は、レンズの光軸Ｌ上に配置されている。
クイックリターンミラー２３２の回転動作は、後述のミラー駆動回路２４８によって駆動され、シャッタ２３３の開閉動作は、シャッタ駆動回路２４７によって駆動される。ミラー駆動回路２４８とシャッタ駆動回路２４７は、後述のカメラ制御ＣＰＵ２９１によって制御される。
通常、撮影が行われていない時には、図２（ａ）に示す様に、クイックリターンミラー２３２は傾斜状態に定められており、交換レンズ３から取込まれた光をペンタプリズム２３４側に導く。すなわち、入射光路Ｌの方向をペンタプリズム２３４の方向に転換している。このときシャッタ２３３は閉じており、ＣＣＤ２４１に向かう光路を閉塞している。これに対しライブビュー時、撮影時、及びクリーニング時には、図２（ｂ）に示す様に、クイックリターンミラー２３２はミラー駆動回路２４８の制御により上方に回動せしめられ、水平状態となる。このクイックリターンミラー２３２の回動すなわち入射光路Ｌからの退避に伴い、シャッタ２３３はシャッタ駆動回路２４７の制御により開口せしめられ、交換レンズ３から取込まれた光はＣＣＤ２４１の受光面に照射される。すなわち、受光面には交換レンズ３によって得られた被写体光学像が形成され、ＣＣＤ２４１では、被写体光学像に対応した画像信号が生成される。
次に、デジタルカメラ１の制御系について図３を用いて説明する。図３は、本発明に係わるデジタルカメラ１の回路ブロック構成図である。なお、図３では、図１または図２に示した部材と同じ部材には同一の番号を付与した。
最初に交換レンズ３の回路ブロックについて説明する。交換レンズ３を、カメラ本体２内に設けられたレンズマウント２３１に装着すると、交換レンズ３に設けられた交信端子ＬＴ１、ＬＴ２、ＬＴ３と、カメラ本体２のレンズマウント２３１内に設けられた交信端子ＢＴ１、ＢＴ２、ＢＴ３とが夫々対応して当接し、交換レンズ３とカメラ本体２が電気的に接続される。
絞り３５２、フォーカス／ズームモータ３５３は、カメラ本体２内に設けられたカメラ制御ＣＰＵ２９１から送られてくる制御信号に従って動作する。
レンズ制御ＣＰＵ３５１は、各種レンズのレンズ位置情報を取得し、カメラ本体２内に設けられたカメラ制御ＣＰＵ２９１と、フォーカス制御、またはズーム制御に必要な情報の交信を行う。
次に、カメラ本体２の回路ブロックについて説明する
ＣＣＤ２４１は、Ｒ（赤）光、Ｇ（緑）光、Ｂ（青）光の各色透過フィルタをピクセル単位（画素単位）で市松模様状に配置させたカラーエリア撮像センサで、交換レンズ３により結像された被写体光像を、Ｒ（赤）光、Ｇ（緑）光、Ｂ（青）光の各色成分の画像信号（各画素単位で受光された画素信号の信号列からなる信号）に光電変換するものである。
【００１５】
タイミングジェネレータ２４６は、後述の基準クロック発生部２７１から送信される基準クロックに基づいてＣＣＤ２４１の駆動制御信号を生成するものである。タイミングジェネレータ２４６で生成される駆動制御信号には、例えば、ＣＣＤ２４１における露出開始、及び終了タイミングを制御する積分開始／終了のタイミング信号、各画素の受光信号の読出制御信号（水平同期信号、垂直同期信号、転送信号等）等のクロック信号が挙げられ、これらのクロック信号がＣＣＤ２４１に供給されるとＣＣＤ２４１では各クロック信号に対応した駆動制御が行われる。
信号処理回路２４２は、ＣＤＳ回路２４３、ＡＧＣ回路２４４より構成され、これらの構成部を介して画像信号に所定の処理が行われる。以下、信号処理回路２４２で行われる画像信号への所定の処理について説明する。
ＣＤＳ（相関二重サンプリング）回路２４３は、ＣＣＤ２４１から読み出された画像信号より読出し時に発生するノイズの低減や、ＯＢクランプ動作による暗ノイズの補正を行うものである。
ＡＧＣ（自動利得制御）回路２４４は、ＣＤＳ回路２４３で処理された画像信号のゲイン調整を行うものである。
この様に信号処理回路２４２は、ＣＣＤ２４１から読み出された画像信号に、アナログ信号処理を行うものである。
Ａ／Ｄ変換器２４５は、ＡＧＣ回路２４４から入力された画像信号を構成する各画素信号をデジタル信号に変換するものである。Ａ／Ｄ変換器２４５は、基準クロック発生部２７１から入力されるＡ／Ｄ変換用クロックに基づき、アナログ信号の各画素信号を例えば１４ビットのデジタル信号に変換する。
この様に、ＣＣＤ２４１で読み出された画像信号は、信号処理回路２４２、及びＡ／Ｄ変換器２４５で所定の処理が施されて、デジタル画像信号に変換される。デジタル化された画像信号は、画像処理ＣＰＵ２６１に取り込まれて所定の処理が行われる。
画像処理ＣＰＵ２６１は、マイクロコンピュータからなり、デジタルカメラ１で行われる画像信号処理動作を統括的に制御するものである。以下、画像処理ＣＰＵ２６１で行われるデジタル画像信号への処理について説明する。
【００１６】
最初に、画像処理ＣＰＵ２６１に取り込まれた画像信号は、ＣＣＤ２４１から出力される画像信号の読出しに同期して画像メモリ２８１に書き込まれる。すなわち、画像処理ＣＰＵ２６１で行われる処理に使用されるデジタル画像信号は、画像メモリ２８１にいったん記録したものを画像メモリ２８１から取り出し、各ブロックにおける処理に使用される。
画像処理ＣＰＵ２６１は、図３に示す様に、例えば黒レベル補正部２６３、画素補間部２６４、解像度変換部２６５、ホワイトバランス制御部２６６、ガンマ補正部２６７、マトリックス演算部２６８、シェーディング補正部２６９、画像圧縮部２７０等からなる画像処理部２６２、及び基準クロック発生部２７１から構成され、画像処理部２６２は画像メモリ２８１より取り出したデジタル画像信号に周知の画像信号処理を施すものである。そして、これらの部位で所定の処理を施されたデジタル画像信号は、再度、画像メモリ２８１に格納される。
基準クロック発生部２７１は、デジタルカメラ１の駆動制御に使用される基準クロックを生成し、これを各回路に供給する回路である。本発明における基準クロックの具体例としては、タイミングジェネレータ２４６に使用される基準クロックや、Ａ／Ｄ変換器２４５に使用されるＡ／Ｄ変換用クロックなどが挙げられ、基準クロック発生部２７１でこれらのクロックを生成する。
次に、ＬＣＤモニタ２１７は、ＣＣＤ２４１で取り込まれた撮影待機画像のライブビュー表示や記録画像の再生表示、及び各種情報表示等を行うものである。
ＬＣＤドライバ２８５は、画像処理ＣＰＵ２６１により画像メモリ２８１から読み出された画像信号を一時記憶するバッファメモリ（ＶＲＡＭ）を備えており、該画像信号をフィールド画像としてＬＣＤモニタ２１７に画像表示させる。
次に、レンズ装着検知スイッチＬＳＷは、カメラ本体２に、交換レンズ３が装着されているか否かを検知するスイッチである。
レンズ装着検知スイッチＬＳＷは、図２（ａ）に示す様に、レンズマウント２３１の内側に設けられた、例えば機械式スイッチであり、交換レンズ３がカメラ本体２に装着されると、交換レンズ３の端部がレンズ装着検知スイッチＬＳＷに当接する。これによりレンズ装着検知スイッチＬＳＷがＯＮ状態となり、後述のカメラ制御ＣＰＵ２９１には、交換レンズ３が、カメラ本体２に装着されていることを示す検知信号が入力される。
次に、カメラ制御ＣＰＵ２９１は、マイクロコンピュータからなり、後述するスイッチ群２９５の各スイッチ操作に基づき、カメラ本体２、及び交換レンズ３を構成する各部材の駆動をシーケンシャルに制御してデジタルカメラ１の撮影動作を統括制御するものである。
また、カメラ制御ＣＰＵ２９１は、交換レンズ３の装着検知を行うレンズ装着検知スイッチＬＳＷの検知結果に基づき、デジタルカメラ１で行われるライブビュー動作を制御する。すなわち、カメラ制御ＣＰＵ２９１は、カメラ本体２に交換レンズ３が装着されていない時（レンズ装着検知スイッチがＯＦＦの時）は、ライブビューボタン２２６を操作することによる、ライブビュー動作の実行を禁止する。すなわち、カメラ制御ＣＰＵ２９１は、本発明に係るレンズ交換式デジタルカメラにおけるライブビュー制御手段として機能するものである。
また、カメラ制御ＣＰＵ２９１は、シャッタボタン２０１、または、ライブビューボタン２２６の操作に基づいてクイックリターンミラー２３２の回転動作、及び、シャッタ２３３の開閉動作を制御する。
さらに、デジタルカメラ１は、クリーニングモードを備えている。クリーニングモードは、カメラ本体２に交換レンズ３が装着されていない時に、カメラ本体内部を掃除する時に用いるモードである。カメラ制御ＣＰＵ２９１は、カメラ本体２に交換レンズ３が装着されていない時は、シャッタボタン２０１を操作することによるクイックリターンミラー２３２の回転動作、及び、シャッタ２３３の開閉動作を禁止するが、クリーニングモードが設定されている時には、クイックリターンミラー２３２の回転動作、及び、シャッタ２３３の開閉動作を許可するものである。
また、ブザー２９３は、カメラ制御ＣＰＵ２９１の制御により、各種告知音や警告音を発生するものであり、クリーニングモードが設定された際には、警告音を発生する。したがって誤ってクリーニングモードを設定した場合においても、操作者は警告音により感知することができるので、意図しないクリーニング動作の実行によるゴミの進入を回避することができる。
カメラ制御ＣＰＵ２９１で行われる、ライブビュー動作制御、クリーニング動作制御、の詳細については後述する。
この様に、デジタルカメラ１では、画像処理ＣＰＵ２６１においてＣＣＤ２４１より取り込まれた画像信号に前述の様な信号処理を行い、これらの処理を行った画像信号を画像メモリ２８１に記録するようになっている。
本発明に係るデジタルカメラ１は、スイッチ群２９５の各種操作スイッチで設定したモードの下でＣＣＤ２４１で取り込んだ画像信号を画像メモリ２８１に記録、あるいは、ＬＣＤモニタ２１７に表示する。
撮影待機状態（例えば、ライブビューボタン２２６で「ライブビューモード」に設定した状態）では、画像信号が例えば１／３０秒毎等の所定間隔でＣＣＤ２４１より信号処理回路２４２、Ａ／Ｄ変換器２４５を経て画像処理ＣＰＵ２６１取り込まれている。取り込まれた画像信号は、前述の様に、画像処理ＣＰＵ２６１中の画像処理部２６２の黒レベル補正部２６３からシェーディング補正部２６９にかけての部位で所定の信号処理が施され、その後、デジタル画像信号として画像メモリ２８１に記録される。そして、画像メモリ２８１に記録された画像信号を読み出し、読み出された画像信号をＬＣＤ駆動回路２８５を介してフィールド画像としてＬＣＤモニタ２１７でライブビュー画像を表示する。
また、画像記録時は、設定された記録解像度の画像とするために画像信号を画像処理ＣＰＵ２６１中の画像処理部２６２の画像圧縮部２７０で圧縮処理し、得られた圧縮画像はメモリカードドライバ２８２を介してメモリカード２８３に記録される。
再生時は、（例えば、再生ボタン２２５で「再生モード」に設定した状態）では、メモリカード２８３より読み出された画像信号は、画像処理ＣＰＵ２６１で所定の信号処理を施し、ＬＣＤ駆動回路２８５を介してＬＣＤモニタ２１７に表示する。
なお、図３中のスイッチ群２９５は、図１のシャッタボタン２０１、メインスイッチ２１１、ジョグダイアルキー２１９、決定ボタン２２０、メニューボタン２２１、再生ボタン２２５、ライブビューボタン２２６等に対応するスイッチである。
ここで、本発明に係るデジタルカメラ１で行われるライブビュー動作制御、クリーニング動作制御について図４及び図５のフローチャート用いて詳細に説明する。
図４は、ライブビュー動作制御の流れを示すフローチャートである。図５は、クリーニング動作制御の流れを示すフローチャートである。
最初に、図４を用いてライブビュー動作制御について説明する。
ライブビューボタン２２６を操作してデジタルカメラ１をライブビューモードに設定する（ステップＳ１）。デジタルカメラ１がライブビューモードに設定されると、カメラ制御ＣＰＵ２９１は、交換レンズ装着検知スイッチＬＳＷの状態を確認する（ステップＳ２）。交換レンズ装着検知スイッチＬＳＷがＯＮになっていれば、すなわちカメラ本体２に交換レンズ３が装着されていれば（ステップＳ３；Ｙｅｓ）、カメラ制御ＣＰＵ２９１は、クイックリターンミラー２３２を上方へ回動し水平状態に定める。また、シャッタ２３３を開放する（ステップＳ６）。そして、ライブビュー動作を実行する（ステップＳ７）。ステップＳ３において、交換レンズ装着検知スイッチＬＳＷがＯＦＦになっていれば、すなわちカメラ本体２に交換レンズ３が装着されていなければ（ステップＳ３；Ｎｏ）、カメラ制御ＣＰＵ２９１は、クイックリターンミラー２３２、または、シャッタ２３３の作動を禁止する。すなわち、クイックリターンミラー２３２は下方で傾斜状態を維持し、また、シャッタ２３３は閉塞状態を維持する（ステップＳ４）。そして、ライブビュー動作を禁止する（ステップＳ５）。この様にカメラ制御ＣＰＵ２９１は、交換レンズ３がカメラ本体２に装着されていない場合には、ライブビューの実行を禁止する様にしている。したがって撮像素子の受光面側にゴミが付着することを確実に防止することができる様になる。
次に、図５を用いてクリーニング動作制御について説明する。
ジョグダイアル（十字キー）２１９、及び、決定ボタン２２０を操作してデジタルカメラ１をクリーニングモードに設定する（ステップＳ１１）。デジタルカメラ１がクリーニングモードに設定されると、カメラ制御ＣＰＵ２９１は、ブザー２９３を起動して警告音を所定時間発生させる（ステップＳ１２）。この様にクリーニングモードが設定された際には、警告音を発生する様にしている。したがって誤ってクリーニングモードを設定した場合においても、操作者は警告音により感知することができるので、意図しないクリーニング動作の実行によるゴミの進入を回避することができる様になる。
次に、シャッタボタン２０１をＯＮすると（ステップＳ１３）、カメラ制御ＣＰＵ２９１は、交換レンズ装着検知スイッチＬＳＷの状態を確認する（ステップＳ１４）。交換レンズ装着検知スイッチＬＳＷがＯＮになっていれば、すなわちカメラ本体２に交換レンズ３が装着されていれば（ステップＳ１５；Ｙｅｓ）、カメラ制御ＣＰＵ２９１は、クイックリターンミラー２３２、および、シャッタ２３３を制御して、通常の撮影動作を実行する（ステップＳ１９）。ステップＳ１５において、交換レンズ検知スイッチＬＳＷがＯＦＦになっていれば、すなわちカメラ本体２に交換レンズ３が装着されていなければ（ステップＳ１５；Ｎｏ）、カメラ制御ＣＰＵ２９１は、クイックリターンミラー２３２を上方へ回動し水平状態に定める。また、シャッタ２３３を開放する（ステップＳ１６）。すなわち操作者は、シャッタボタン２０１を押すことによって、クイックリターンミラー２３２を上方へ回動し水平状態に定め、また、シャッタ２３３を開放することができる様になるので、この状態を維持しながらＣＣＤ２４１の受光面を掃除することができる。そして掃除が終わると、シャッタボタン２０１をＯＦＦすることにより（ステップＳ１７）、カメラ制御ＣＰＵ２９１は、クイックリターンミラー２３２を下方に回動し傾斜状態に復帰し、また、シャッタ２３３を閉塞状態にする（ステップＳ１８）。
この様に、本発明に係るレンズ交換式デジタルカメラでは、交換レンズをカメラ本体から取り外した状態では、ライブビュー動作を禁止することにより、クイックリターンミラー、または、シャッタを長時間開放し続けることを回避する様にしているので、撮像素子の受光面にゴミが付着することを確実に防止することができる様になる。
また、交換レンズをカメラ本体から取り外した状態においては、クリーニングモードにおいてのみ、クイックリターンミラーが退避可能に、また、シャッタが開放可能であるので、撮像素子に対するゴミの付着をより確実に防止することができる様になる。
【図面の簡単な説明】
【００１７】
【図１】本発明に係るレンズ交換式デジタルカメラの外観模式図である。
【図２】本発明に係るレンズ交換式デジタルカメラの断面模式図である。
【図３】本発明に係るレンズ交換式デジタルカメラの回路ブロック構成図である。
【図４】本発明に係るレンズ交換式デジタルカメラにおけるライブビュー動作制御の流れを示すフローチャートである。
【図５】本発明に係るレンズ交換式デジタルカメラにおけるクリーニング動作制御の流れを示すフローチャートである。
【符号の説明】
【００１８】
１  デジタルカメラ
２  カメラ本体
２０１  シャッタボタン
２０２  露出モードダイアル
２０３  露出補正ダイアル
２０４  ホワイトバランス設定ダイアル
２０５  内臓フラッシュ
２０６  フォーカスモード設定ダイアル
２０７  レンズ取り外しボタン
２０８  セルフタイマーランプ
２０９  グリップ
２１０  グリップセンサ
２１１  メインスイッチ
２１２  測光モードダイアル
２１３  ＡＥロックボタン
２１４  ＡＦ／ＭＦコントロールボタン
２１５  後ろダイアル
２１６  光学ファインダー
２１７  ＬＣＤモニタ
２１８  手ぶれ補正ボタン
２１９  ジョグダイアル（十字キー）
２２０  決定ボタン
２２１  メニューボタン
２２２  表示切り換えボタン
２２３  拡大ボタン
２２４  消去ボタン
２２５  再生ボタン
２２６  ライブビューボタン
２３１  レンズマウント
２３２  クイックリターンミラー
２３３  シャッタ
２３４  ペンタプリズム
２４１  ＣＣＤカラーエリアセンサ
２４２  信号処理回路
２４３  ＣＤＳ回路
２４４  ＡＧＣ回路
２４５  Ａ／Ｄ変換器
２４６  タイミングジェネレータ
２４７  シャッタ駆動回路
２４８  ミラー駆動回路
２４９  絞り駆動回路
２５０  フォーカス／ズームモータ駆動回路
２６１  画像処理ＣＰＵ
２６２  画像処理部
２６３  黒レベル補正部
２６４  画素補完部
２６５  解像度変換部
２６６  ホワイトバランス制御部
２６７  ガンマ補正部
２６８  マトリックス演算部
２６９  シェーディング補正部
２７０  画像圧縮部
２７１  基準クロック発生部
２８１  画像メモリ
２８２  メモリカードドライバ
２８３  メモリカード
２８４  外部通信Ｉ／Ｆ
２８５  ＬＣＤ駆動回路
２９１  カメラ制御ＣＰＵ
２９２  フラッシュ制御回路
２９３  ブザー
２９５  スイッチ群（シャッタボタン他）
３  交換レンズ
３５１  レンズ制御ＣＰＵ
３５２  絞り
３５３  フォーカス／ズームモータ
Ｌ  レンズ光軸
ＬＴ１、ＬＴ２、ＬＴ３  交信端子（レンズ側）
ＬＳＷ  レンズ装着検出スイッチ
ＢＴ１、ＢＴ２、ＢＴ３  交信端子（カメラ側）
【図１】
2006313250.tif 000003
【図２】
2006313250.tif 000004
【図３】
2006313250.tif 000005
【図４】
2006313250.tif 000006
【図５】
2006313250.tif 000007